【手続補正書】
【提出日】平成19年10月30日(2007.10.30)
【手続補正１】
【補正対象書類名】特許請求の範囲
【補正対象項目名】全文
【補正方法】変更
【補正の内容】
【特許請求の範囲】
【請求項１】
受信した放送波の選局を行うチューナ部と、前記チューナ部にて選局された放送信号からＴＭＣＣ情報を得るＴＭＣＣ復号部と、前記チューナ部にて選局された放送信号からＴＳ信号を得るＴＳ復調復号部と、前記ＴＳ復調復号部にて得られたＴＳ信号から音声信号および映像信号を再生するＭＰＥＧ復調部と、前記ＴＭＣＣ復号部にて得られたＴＭＣＣ情報に含まれる符号化率を表す情報に基づいて前記選局された放送信号に適用された符号化率を検出する符号化率検出部と、前記符号化率検出部にて検出された符号化率に応じて前記チューナ部での電力消費を制限する電力制限回路と、を備えたことを特徴とする受信装置。 
【請求項２】
前記電力制限回路は、前記符号化率の程度に応じたＣ／Ｎ比の余裕分に相応するように前記チューナ部での電力消費を制限することを特徴とする請求項１に記載の受信装置。 
【請求項３】
前記符号化率検出部は、前記ＴＭＣＣ復号部で得たＴＭＣＣ情報に含まれる符号化率を表す情報に基づいて、当該符号化率が変化したタイミングで、前記選局された放送信号に適用された符号化率を検出することを特徴とする請求項１に記載の受信装置。
【請求項４】
受信した放送波の選局を行うチューナ部と、前記チューナ部にて選局された放送信号からＴＭＣＣ情報を得るＴＭＣＣ復号部と、前記チューナ部にて選局された放送信号からＴＳ信号を得るＴＳ復調復号部と、前記ＴＳ信号から音声信号および映像信号を再生するＭＰＥＧ復調部と、前記ＴＭＣＣ情報に含まれる変調方式を表す情報に基づいて前記チューナ部にて選局された放送信号に適用されている変調方式の種別を検出する変調方式検出部と、前記ＴＭＣＣ情報に含まれる符号化率を表す情報に基づいて前記選局された放送信号に適用された符号化率を検出する符号化率検出部と、前記変調方式検出部にて検出された変調方式の種別および前記符号化率検出部にて検出された符号化率の程度の双方に基づいて前記チューナ部での電力消費を制限する電力制限回路と、を備えることを特徴とする受信装置。 
【請求項５】
前記電力制限回路は、前記変調方式の種別および前記符号化率の程度に対応したＣ／Ｎ比の余裕分に相応するように前記チューナ部での電力消費を制限することを特徴とする請求項４に記載の受信装置。
【請求項６】
前記変調方式検出部は、前記ＴＭＣＣ復号部にて得られたＴＭＣＣ情報に含まれる変調方式を表す情報に基づいて、当該変調方式が変化したタイミングで、前記チューナ部にて選局された放送信号に適用されている変調方式の種別を検出するように構成され、且つ、前記符号化率検出部は、前記ＴＭＣＣ復号部にて得られたＴＭＣＣ情報に含まれる符号化率を表す情報に基づいて、当該符号化率が変化したタイミングで、前記選局された放送信号に適用された符号化率を検出するように構成されていることを特徴とする請求項４に記載の受信装置。
【請求項７】
放送波を受信して前記チューナ部に供給するアンテナ、前記ＭＰＥＧ復調部にて復調された音声信号による音声を出力するスピーカ、前記ＭＰＥＧ復調部にて復調された映像信号による映像を表示するディスプレイ、および、受信装置に作動用の電力を供給する電源のうち少なくとも何れかのものを更に備えていることを特徴とする請求項１および４の何れか一項に記載の受信装置。
【手続補正２】
【補正対象書類名】明細書
【補正対象項目名】０００６
【補正方法】変更
【補正の内容】
【０００６】
上記課題を解決するべく、本願では次に列記するような技術を提案する。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
（１）受信した放送波の選局を行うチューナ部と、前記チューナ部にて選局された放送信号からＴＭＣＣ情報を得るＴＭＣＣ復号部と、前記チューナ部にて選局された放送信号からＴＳ信号を得るＴＳ復調復号部と、前記ＴＳ復調復号部にて得られたＴＳ信号から音声信号および映像信号を再生するＭＰＥＧ復調部と、前記ＴＭＣＣ復号部にて得られたＴＭＣＣ情報に含まれる符号化率を表す情報に基づいて前記選局された放送信号に適用された符号化率を検出する符号化率検出部と、前記符号化率検出部にて検出された符号化率に応じて前記チューナ部での電力消費を制限する電力制限回路と、を備えたことを特徴とする受信装置。
【手続補正８】
【補正対象書類名】明細書
【補正対象項目名】００１２
【補正方法】変更
【補正の内容】
【００１２】
上記（１）の受信装置では、選局された放送信号の符号化率に応じてＣ／Ｎ比の余裕分が生じたときにチューナ部での電力消費を制限する一方、符号化率の検出については既存のＴＭＣＣ復号部の出力であるＴＭＣＣ情報に含まれる符号化率を表す情報に基づいてこれを行うことができる。このため、放送信号の正常な受信状態を維持しつつ、低消費電力化を実現することが可能となるとともに、回路の複雑化、大型化および高コスト化を抑制することができる。
【手続補正９】
【補正対象書類名】明細書
【補正対象項目名】００１３
【補正方法】変更
【補正の内容】
【００１３】
（２）前記電力制限回路は、前記符号化率の程度に応じたＣ／Ｎ比の余裕分に相応するように前記チューナ部での電力消費を制限することを特徴とする（１）の受信装置。
上記（２）の受信装置では、（１）の受信装置において特に、電力制限回路によるチューナ部での電力消費の制限はＣ／Ｎ比の余裕分に相応するものに留められ、これにより、受信品質の劣化を招くことなく、受信装置の低消費電力化を図ることができる。
【手続補正１０】
【補正対象書類名】明細書
【補正対象項目名】００１４
【補正方法】変更
【補正の内容】
【００１４】
（３）前記符号化率検出部は、前記ＴＭＣＣ復号部で得たＴＭＣＣ情報に含まれる符号化率を表す情報に基づいて、当該符号化率が変化したタイミングで、前記選局された放送信号に適用された符号化率を検出することを特徴とする（１）の受信装置。
上記（３）の受信装置では、（１）の受信装置において特に、符号化率検出部は、ＴＭＣＣ復号部で得たＴＭＣＣ情報に含まれる符号化率を表す情報に基づいて、当該符号化率が変化したタイミングで当該選局された放送信に適用されている符号化率を検出するため、チューナ部における電力消費の制限の状態を変更すべきか否かを計るに適切な時点で符号化率の程度が検出され、該検出の結果に基づいて適切な電力消費の制限を行うことができる。
【手続補正１１】
【補正対象書類名】明細書
【補正対象項目名】００１５
【補正方法】変更
【補正の内容】
【００１５】
（４）受信した放送波の選局を行うチューナ部と、前記チューナ部にて選局された放送信号からＴＭＣＣ情報を得るＴＭＣＣ復号部と、前記チューナ部にて選局された放送信号からＴＳ信号を得るＴＳ復調復号部と、前記ＴＳ信号から音声信号および映像信号を再生するＭＰＥＧ復調部と、前記ＴＭＣＣ情報に含まれる変調方式を表す情報に基づいて前記チューナ部にて選局された放送信号に適用されている変調方式の種別を検出する変調方式検出部と、前記ＴＭＣＣ情報に含まれる符号化率を表す情報に基づいて前記選局された放送信号に適用された符号化率を検出する符号化率検出部と、前記変調方式検出部にて検出された変調方式の種別および前記符号化率検出部にて検出された符号化率の程度の双方に基づいて前記チューナ部での電力消費を制限する電力制限回路と、を備えることを特徴とする受信装置。
【手続補正１２】
【補正対象書類名】明細書
【補正対象項目名】００１６
【補正方法】変更
【補正の内容】
【００１６】
上記（４）の受信装置では、選局された放送信号の変調方式および符号化率の双方の状況に基づいてＣ／Ｎ比の余裕分が生じた場合にはチューナ部での電力消費を制限する一方、変調方式の種別の検出およびに符号化率の検出ついては既存のものと同様のＴＭＣＣ復号部の出力であるＴＭＣＣ情報に含まれる変調方式を表す情報およびに符号化率を表す情報に基づいてこれを行うことができる。このため、放送信号の正常な受信状態を維持しつつ低消費電力化を実現することが可能となるとともに、回路の複雑化、大型化および高コスト化を抑制することができる。
【手続補正１３】
【補正対象書類名】明細書
【補正対象項目名】００１７
【補正方法】変更
【補正の内容】
【００１７】
（５）前記電力制限回路は、前記変調方式の種別および前記符号化率の程度に対応したＣ／Ｎ比の余裕分に相応するように前記チューナ部での電力消費を制限することを特徴とする（４）の受信装置。
上記（５）の受信装置では、（４）の受信装置において特に、電力制限回路によるチューナ部での電力消費の制限はＣ／Ｎ比の余裕分に相応するものに留められ、これにより、受信品質の劣化を招くことなく、受信装置の低消費電力化を図ることができる。
【手続補正１４】
【補正対象書類名】明細書
【補正対象項目名】００１８
【補正方法】変更
【補正の内容】
【００１８】
（６）前記変調方式検出部は、前記ＴＭＣＣ復号部にて得られたＴＭＣＣ情報に含まれる変調方式を表す情報に基づいて、当該変調方式が変化したタイミングで、前記チューナ部にて選局された放送信号に適用されている変調方式の種別を検出するように構成され、且つ、前記符号化率検出部は、前記ＴＭＣＣ復号部にて得られたＴＭＣＣ情報に含まれる符号化率を表す情報に基づいて、当該符号化率が変化したタイミングで、前記選局された放送信号に適用された符号化率を検出するように構成されていることを特徴とする（４）の受信装置。
【手続補正１５】
【補正対象書類名】明細書
【補正対象項目名】００１９
【補正方法】変更
【補正の内容】
【００１９】
上記（６）の受信装置では、（４）の受信装置において特に、前記変調方式検出部は、前記ＴＭＣＣ復号部にて得られたＴＭＣＣ情報に含まれる変調方式を表す情報に基づいて、当該変調方式が変化したタイミングで、前記チューナ部にて選局された放送信号に適用されている変調方式の種別を検出し、また、符号化率検出部は、ＴＭＣＣ復号部にて得られたＴＭＣＣ情報に含まれる符号化率を表す情報に基づいて、当該符号化率が変化したタイミングで当該選局された放送信に適用されている符号化率を検出するため、チューナ部における電力消費の制限の状態を変更すべきか否かを計るに適切な時点で符号化率の程度が検出され、該検出の結果に基づいて適切な電力消費の制限を行うことができる。
【手続補正１６】
【補正対象書類名】明細書
【補正対象項目名】００２０
【補正方法】変更
【補正の内容】
【００２０】
（７）放送波を受信して前記チューナ部に供給するアンテナ、前記ＭＰＥＧ復調部で復調された音声信号による音声を出力するスピーカ、前記ＭＰＥＧ復調部で復調された映像信号による映像を表示するディスプレイ、および、受信装置に作動用の電力を供給する電源のうち少なくとも何れかのものを更に備えていることを特徴とする（１）および（４）の何れか一の受信装置。
上記（７）の受信装置では、（１）および（４）の何れか一の受信装置において特に、例えば、これらが一つの筐体内に備えられた可搬型の受信装置として軽便さに優れた装置を実現することができる。